(57)【特許請求の範囲】
【請求項１】
複数個をまとめて外箱に収納され、少なくとも、前パネル、側パネル、後パネル、側パネル、天パネル、底パネルからなる略直方体のカートンであって、前記カートンは並列に集積されて前記外箱に収納され、前記外箱を開口した時に表出する前記天パネルの集積方向と直交する２辺の稜線のうち、少なくとも１つの稜線の一部又は全部を連続した波形又は山形とし、前記連続する波形又は山形が形成された稜線を介して前記天パネルと隣接するパネルの上縁部に凹部と隆起部を形成したことを特徴とする集積用カートン。
【請求項２】
前記カートンが前パネル、側パネル、後パネル、側パネルを、折れ線を介して順に連設し、前記前パネルの上辺あるいは前記後パネルの上辺に、折れ線を介して天パネルを連設し、前記前パネルの下辺あるいは前記後パネルの下辺に、折れ線を介して底パネルを連設したブランクからなり、前記外箱を開口した時に前記天パネルが表出し、前記天パネルと前記天パネルに連設されたパネルとの稜線の一部又は全部を連続した波形又は山形とし、前記天パネルに連設されたパネルの上縁部に凹部と隆起部を形成することを特徴とする請求項１に記載の集積用カートン。
【請求項３】
前記カートンが前パネル、側パネル、後パネル、側パネルを、折れ線を介して順に連設し、前記前パネルの上辺あるいは前記後パネルの上辺に、折れ線を介して天パネルを連設し、前記前パネルの下辺あるいは前記後パネルの下辺に、折れ線を介して底パネルを連設し、前記天パネルの上辺に折れ線を介してオーバーラップパネルを連設したブランクからなり、前記外箱を開口した時に前記天パネルが表出し、前記天パネルと前記天パネルに連設されたパネルとの稜線のうち、少なくとも１つの稜線の一部又は全部を連続した波形又は山形とし、前記連続する波形又は山形が形成された稜線を介して前記天パネルに連設されたパネルの上縁部に凹部と隆起部を形成することを特徴とする請求項１に記載の集積用カートン。
【請求項４】
前記外箱を開口した時に表出する前記カートンの前記天パネルの集積方向と直交する２辺の稜線の一部又は全部を連続した波形又は山形とし、前記連続する波形又は山形が形成された稜線を介してそれぞれ前記天パネルと隣接するパネルの上縁部に凹部と隆起部を形成したことを特徴とする請求項１に記載の集積用カートン。
【請求項５】
前記カートンが前パネル、側パネル、後パネル、側パネルを、折れ線を介して順に連設し、前記前パネルの上辺に折れ線を介して天パネルを連設するとともに、下辺に折れ線を介して底パネルを連設し、前記後パネルの上辺に折れ線を介して天下パネルを連設するとともに、下辺に折れ線を介して底下パネルを連設したブランクからなり、前記天パネルと前記前パネルとの稜線、および前記天下パネルと前記後パネルとの稜線の一部又は全部を連続した波形又は山形とし、前記前パネルの上縁部および前記後パネルの上縁部に凹部と隆起部を形成することを特徴とする請求項４に記載の集積用カートン。
【請求項６】
前記カートンが前パネル、側パネル、後パネル、側パネルを、折れ線を介して順に連設し、前記前パネルの上辺あるいは前記後パネルの上辺に、折れ線を介して天パネルを連設し、前記前パネルの下辺あるいは前記後パネルの下辺に、折れ線を介して底パネルを連設し、前記天パネルの上辺に折れ線を介してオーバーラップパネルを連設したブランクからなり、前記天パネルと前記天パネルに連設されたそれぞれのパネルとの稜線の一部又は全部を連続した波形又は山形とし、前記連続する波形又は山形が形成された稜線を介して前記天パネルに連設されたそれぞれのパネルの上縁部に凹部と隆起部を形成することを特徴とする請求項４に記載の集積用カートン。
【発明の詳細な説明】
【技術分野】
【０００１】
本発明は、複数個まとめて外箱内に包装され、特に、店頭で外箱に集積包装されて販売されるカートンに関するものであり、詳しくは、外箱から取り出しやすい形状の集積用カートンに関するものである。
【背景技術】
【０００２】
従来から、カートンに収納された商品を店頭で販売する際に、図１０に示すように、直方体のカートンＴを隙間なく外箱Ｐに集積包装し、ディスプレイ効果の点からその状態で店頭で販売することがある。
【０００３】
しかしながら、商品が収納されたカートンが隙間なく外箱の中に集積されていると、個々に取り出すことが容易でないという問題がある。特に、店頭等で販売する時点で最初の１個を取り出す時には、指を入れにくく、取り出すことが難しいという問題がある。
【発明の開示】
【発明が解決しようとする課題】
【０００４】
本発明は、商品が収納されたカートンが外箱の中に集積されていても、容易に個々のカートンを取り出すことができる集積用カートンを提供することを目的とするものである。
【課題を解決するための手段】
【０００５】
前記課題を解決するためになされた本発明は、複数個をまとめて外箱に収納され、少なくとも、前パネル、側パネル、後パネル、側パネル、天パネル、底パネルからなる略直方体のカートンであって、前記カートンは並列に集積されて前記外箱に収納され、前記外箱を開口した時に表出する前記天パネルの集積方向と直交する２辺の稜線のうち、少なくとも１つの稜線の一部又は全部を連続した波形又は山形とし、前記連続する波形又は山形が形成された稜線を介して前記天パネルと隣接するパネルの上縁部に凹部と隆起部を形成したことを特徴とする集積用カートンであり、具体的には、前記カートンが前パネル、側パネル、後パネル、側パネルを、折れ線を介して順に連設し、前記前パネルの上辺あるいは前記後パネルの上辺に、折れ線を介して天パネルを連設し、前記前パネルの下辺あるいは前記後パネルの下辺に、折れ線を介して底パネルを連設したブランクからなり、前記外箱を開口した時に前記天パネルが表出し、前記天パネルと前記天パネルに連設されたパネルとの稜線の一部又は全部を連続した波形又は山形とし、前記天パネルに連設されたパネルの上縁部に凹部と隆起部を形成すること、あるいは、前記カートンが前パネル、側パネル、後パネル、側パネルを、折れ線を介して順に連設し、前記前パネルの上辺あるいは前記後パネルの上辺に、折れ線を介して天パネルを連設し、前記前パネルの下辺あるいは前記後パネルの下辺に、折れ線を介して底パネルを連設し、前記天パネルの上辺に折れ線を介してオーバーラップパネルを連設したブランクからなり、前記外箱を開口した時に前記天パネルが表出し、前記天パネルと前記天パネルに連設されたパネルとの稜線のうち、少なくとも１つの稜線の一部又は全部を連続した波形又は山形とし、前記連続する波形又は山形が形成された稜線を介して前記天パネルに連設されたパネルの上縁部に凹部と隆起部を形成することを特徴とする。
【０００６】
また、前記外箱を開口した時に表出する前記カートンの前記天パネルの集積方向と直交する２辺の稜線の一部又は全部を連続した波形又は山形とし、前記連続する波形又は山形が形成された稜線を介してそれぞれ前記天パネルと隣接するパネルの上縁部に凹部と隆起部を形成したことを特徴とする集積用カートンとすることができ、具体的には、前記カートンが前パネル、側パネル、後パネル、側パネルを、折れ線を介して順に連設し、前記前パネルの上辺に折れ線を介して天パネルを連設するとともに、下辺に折れ線を介して底パネルを連設し、前記後パネルの上辺に折れ線を介して天下パネルを連設するとともに、下辺に折れ線を介して底下パネルを連設したブランクからなり、前記天パネルと前記前パネルとの稜線、および前記天下パネルと前記後パネルとの稜線の一部又は全部を連続した波形又は山形とし、前記前パネルの上縁部および前記後パネルの上縁部に凹部と隆起部を形成すること、あるいは、前記カートンが前パネル、側パネル、後パネル、側パネルを、折れ線を介して順に連設し、前記前パネルの上辺あるいは前記後パネルの上辺に、折れ線を介して天パネルを連設し、前記前パネルの下辺あるいは前記後パネルの下辺に、折れ線を介して底パネルを連設し、前記天パネルの上辺に折れ線を介してオーバーラップパネルを連設したブランクからなり、前記天パネルと前記天パネルに連設されたそれぞれのパネルとの稜線の一部又は全部を連続した波形又は山形とし、前記連続する波形又は山形が形成された稜線を介して前記天パネルに連設されたそれぞれのパネルの上縁部に凹部と隆起部を形成することを特徴とするものである。
【発明の効果】
【０００７】
本発明の集積用カートンによれば、商品が収納されたカートンが外箱の中に集積され、外箱を開口した時に表出するパネルの少なくとも一つの稜線の一部または全部を波形あるいは山形にすることにより、隣接するカートンとの間に間隙が形成され、その間隙に指が入れやすく、容易に個々のカートンを取り出すことができ、特に、全数収納されている中から１個目のカートンを容易に取り出すことができるという効果を有している。また、ブランクからカートンに組み立てる時に、波形あるいは山形にした稜線を折り曲げると、谷側にはパネルの上縁部に凹部が形成され、一方、山側にはパネルの上縁部に隆起部が形成される。その結果、隣接するカートンとの間に形成される間隙が増幅され、かつ、その隆起部が擬似スプリングの作用を有しているため、当該間隙に指を差し入れた時に、その応力が及ぶ複数のカートンが少しづつ撓んで間隙が広がるため、さらに容易にカートンを取り出すことができるという効果がある。一方、天パネルでは、隆起部の擬似スプリング作用により、収納した集積用カートンが輸送時に損傷を受けることを抑えることもできるという効果がある。
【０００８】
また、カートン自体も外観上、独特な形状となり販促効果を向上させることができる。
【発明を実施するための最良の形態】
【０００９】
本発明の実施の形態について、図面を用いてさらに詳しく説明する。
【００１０】
図１は、本発明による第一の形態の集積用カートンを外箱に収納した状態を示す斜視図である。本発明による集積用カートンＡは、外箱Ｐに複数個を収納する形状であり（本例では１０個）、外箱Ｐの一面を開封した状態で、天パネル１６だけが表出している。また、天パネル１６の一つの稜線を波形とすることにより、前パネル１１の上縁部に凹部を形成することができ、隣接するカートンとの間に間隙Ｓを有した状態とすることができる。この間隙Ｓに指を差し込むことができることによって、収納した本発明の集積用カートンＡを収納した外箱Ｐから容易に取り出すことができる。
【００１１】
図２は、集積用カートンＡを示す斜視図である。集積用カートンＡはサック形式のカートンであり、前パネル１１、側パネル１２、後パネル１３、側パネル１４、天パネル１６、底パネル１７からなる略直方体であるが、天パネル１６と前パネル１１との稜線を波形としている。この稜線を波形とすることによって、前パネル１１の上縁部に凹部が形成され、外箱Ｐに収納した時に、隣接した別の集積用カートンとの間に間隙Ｓを形成することができる。
【００１２】
図４は、図２の集積用カートンＡのブランクの展開図である。ブランク１０Ａは、前パネル１１、側パネル１２、後パネル１３、側パネル１４、糊代片１５を折れ線ａ、ｂ、ｃ、ｄを介して連設している。そして、前パネル１１の上辺には天パネル１６を折れ線ｅを介して連設し、後パネル１３の下辺には底パネル１７を折れ線ｆを介して連設し、側パネル１２の上下辺には折り込み片１８、１９を折れ線ｇ、ｈを介して連設し、側パネル１４の上下辺には折り込み片２０、２１を折れ線ｉ、ｊを介して連設している。また、天パネル１６の上辺には天差し込み片２２を折れ線ｋを介して連設し、底パネル１７の下辺には底差し込み片２３を折れ線ｌを介して連設している。そして、天パネル１６と前パネル１１の折れ線ｅを波形としている。
【００１３】
また、波形の形状は、凹部と隆起部を形成することができる形状であればよく、本例では、図３−ａに示すように、折れ線ｅが２つの波形で天パネル１６側に２つの凹部を有する形状としているが、この形状以外にも、例えば、図３−ｂに示すように、２つ以上の波形、図３−ｃに示すように、連続した鈍角の山形としてもよい。
【００１４】
このブランク１０Ａを集積用カートンＡに組み立てた時に、折れ線ｅを折り曲げて天パネル１６と前パネル１１との間に稜線を形成するが、その時、前パネル１１の上縁部に図２示すように、凹部Ｏ、Ｏが形成される。
【００１５】
上記の集積用カートンＡはサック形式のカートンであるが、別の形式のカートンでもよく、例えばシールカートン形式でもよい。図５は、シールカートン形式の集積用カートンＢのブランクの展開図である。ブランク１０Ｂは、前パネル１１、側パネル１２、後パネル１３、側パネル１４、糊代片１５を折れ線ａ、ｂ、ｃ、ｄを介して連設している。そして、前パネル１１の上辺には天パネル１６を折れ線ｅを介して連設し、下辺には底パネル１７を折れ線ｆを介して連設し、側パネル１２の上下辺には折り込み片１８、１９を折れ線ｇ、ｈを介して連設し、後パネル１３の上辺には天下パネル２４を折れ線ｍを介して連設し、下辺には底下パネル２５を折れ線ｎを介して連設し、側パネル１４の上下辺には折り込み片２０、２１を折れ線ｉ、ｊを介して連設している。そして、天パネル１６と前パネル１１の折れ線ｅを波形としている。
【００１６】
この波形の形状としては、本例では、折れ線ｅが２つの波形で天パネル１６側に２つの凹部を有する形状としているが、集積用カートンＡと同様に、種々の形状とすることができる。
【００１７】
このブランク１０Ｂを集積用カートンＢに組み立てた時に、折れ線ｅを折り曲げて天パネル１６と前パネル１１との間に稜線を形成するが、その時、前パネル１１の上縁部に凹部Ｏ、Ｏが形成される。
【００１８】
図６は、本発明による第二の形態の集積用カートンを外箱に収納した状態を示す斜視図である。本発明による集積用カートンＣは、外箱Ｐに複数個を収納する形状であり（本例では１０個）、外箱Ｐを開封した状態で、天パネル１６だけが表出している。また、天パネル１６の対向する二つの稜線を波形とすることにより、前パネル１１とオーバーパネル２６の上縁部に凹部を形成することができ、隣接する両側のカートンとの間に間隙Ｓ、Ｓを有した状態とすることができる。この間隙Ｓ、Ｓに二つの指を差し込むことができることによって、収納した本発明の集積用カートンＣを収納した外箱Ｐから容易に取り出すことができる。
【００１９】
図７は、集積用カートンＣを示す斜視図である。集積用カートンＣはオーバーラップ形式のカートンであり、前パネル１１、側パネル１２、後パネル１３、側パネル１４、天パネル１６、底パネル１７からなる略直方体であるが、前パネル１１の外側上部にオーバーパネル２６が貼着されており、天パネル１６と前パネル１１との稜線および天パネル１６とオーバーパネル２６との稜線を波形としている。これらの対向する２つの稜線を波形とすることによって、前パネル１１の上縁部およびオーバーパネル２６の上縁部に凹部Ｏ、Ｏ、Ｏ、Ｏが形成され、外箱Ｐに収納した時に、隣接した両側の別の集積用カートンとの間に間隙Ｓ、Ｓを持つようにすることができる。
【００２０】
図８は、図７の集積用カートンＣのブランクの展開図である。ブランク１０Ｃは、前パネル１１、側パネル１２、後パネル１３、側パネル１４、糊代片１５を折れ線ａ、ｂ、ｃ、ｄを介して連設している。そして、前パネル１１の上辺には天パネル１６を折れ線ｅを介して連設し、後パネル１３の下辺には底パネル１７を折れ線ｆを介して連設し、側パネル１２の上下辺には折り込み片１８、１９を折れ線ｇ、ｈを介して連設し、側パネル１４の上下辺には折り込み片２０、２１を折れ線ｉ、ｊを介して連設している。また、天パネル１６の上辺にはオーバーパネル２６を折れ線ｍを介して連設し、底パネル１７の下辺には底差し込み片２３を折れ線ｌを介して連設している。そして、天パネル１６と前パネル１１の折れ線ｅおよび天パネル１６とオーバーパネル２６の折れ線ｋを波形としている。
【００２１】
この波形の形状としては、本例では、折れ線ｅおよび折れ線ｋが２つの波形で天パネル１６側に２つの凹部を有する形状としているが、集積用カートンＡと同様に、種々の形状とすることができる。
【００２２】
このブランク１０Ｃを集積用カートンＣに組み立てた時に、折れ線ｅを折り曲げて天パネル１６と前パネル１１との間に稜線を形成し、折れ線ｋを折り曲げて天パネル１６とオーバーパネル２６との間に稜線を形成するが、その時、前パネル１１の上縁部およびオーバーパネル２６の上縁部に凹部が形成される。
【００２３】
上記の集積用カートンＣはオーバーラップ形式のカートンであるが、別の形式のカートンでもよく、例えばシールカートン形式でもよい。図９は、シールカートン形式の集積用カートンＤのブランクの展開図である。ブランク１０Ｄは、前パネル１１、側パネル１２、後パネル１３、側パネル１４、糊代片１５を折れ線ａ、ｂ、ｃ、ｄを介して連設している。そして、前パネル１１の上辺には天パネル１６を折れ線ｅを介して連設し、下辺には底パネル１７を折れ線ｆを介して連設し、側パネル１２の上下辺には折り込み片１８、１９を折れ線ｇ、ｈを介して連設し、後パネル１３の上辺には天下パネル２４を折れ線ｍを介して連設し、下辺には底下パネル２５を折れ線ｎを介して連設し、側パネル１４の上下辺には折り込み片２０、２１を折れ線ｉ、ｊを介して連設している。そして、天パネル１６と前パネル１１の折れ線ｅおよび天下パネル２４と後パネル１３の折れ線ｍを波形としている。
【００２４】
この波形の形状としては、本例では、折れ線ｅおよび折れ線ｍが２つの波形で天パネル１６側に２つの凹部Ｏ、Ｏを有する形状としているが、集積用カートンＡと同様に、種々の形状とすることができる。
【００２５】
このブランク１０Ｄを集積用カートンＤに組み立てた時に、折れ線ｅを折り曲げて天パネル１６と前パネル１１との間に稜線を形成し、折れ線ｍを折り曲げて天下パネル２４と後パネル１３との間に稜線を形成するが、その時、前パネル１１および後パネル１３の上縁部に凹部Ｏ、Ｏ、Ｏ、Ｏが形成される。
【００２７】
なお、外箱Ｐの形状については、複数の集積用カートンを収納することができる形状であればよく、上記の１０個入りの形状に、限定されるものではない。
【産業上の利用可能性】
【００２８】
本発明は、複数個まとめて外箱内に包装され、特に、店頭で外箱に集積包装されて販売されるカートンに利用される形状のカートンであり、外箱から取り出しやすい形状の集積用カートン等に広く利用することができる。
【図面の簡単な説明】
【００２９】
【図１】本発明による集積用カートンの第一の実施の形態の一例を外箱に収納した状態の斜視図である。
【図２】本発明による集積用カートンの第一の実施の形態の一例を示す斜視図である。
【図３】本発明の集積用カートンのブランクの波形又は山形の折れ線の種類を示す部分拡大図である。
【図４】図２の集積用カートンのブランクを示す展開図である。
【図５】図２の集積用カートンの別の形式のブランクを示す展開図である。
【図６】本発明による集積用カートンの第二の実施の形態の一例を外箱に収納した状態の斜視図である。
【図７】本発明による集積用カートンの第二の実施の形態の一例を示す斜視図である。
【図８】図７の集積用カートンのブランクを示す展開図である。
【図９】図７の集積用カートンの別の形式のブランクを示す展開図である。
【図１０】従来の集積用カートンの斜視図および外箱に収納した状態を示す斜視図である。
【符号の説明】
【００３０】
Ａ      本発明の集積用カートン（第一の実施の形態）
Ｃ      本発明の集積用カートン（第二の実施の形態）
Ｔ      従来の集積用カートン
Ｐ      外箱
Ｓ      間隙
Ｏ      凹部
１０Ａ    ブランク（第一の実施の形態の一例）
１０Ｂ    ブランク（第一の実施の形態の別の例）
１０Ｃ    ブランク（第二の実施の形態の一例）
１０Ｄ    ブランク（第二の実施の形態の別の例）
１１      前パネル
１２      側パネル
１３      後パネル
１４      側パネル
１５      糊代片
１６      天パネル
１７      底パネル
１８      折り込み片
１９      折り込み片
２０      折り込み片
２１      折り込み片
２２      天差し込み片
２３      底差し込み片
２４      天下パネル
２５      底下パネル
２６      オーバーラップパネル
ａ〜ｎ    折れ線
【図１】
0004839719.tif 000002
【図２】
0004839719.tif 000003
【図３】
0004839719.tif 000004
【図４】
0004839719.tif 000005
【図５】
0004839719.tif 000006
【図６】
0004839719.tif 000007
【図７】
0004839719.tif 000008
【図８】
0004839719.tif 000009
【図９】
0004839719.tif 000010
【図１０】
0004839719.tif 000011